(57)【要約】【課題】誕生から大人に成長するまで生活を共にできるようなベビーベッドを提供する。【解決手段】前フレーム２および後フレーム３におけるそれぞれの１対の脚２１，２２，３１，３２の高さを調節可能にし、前フレーム２から後フレーム３に延びる１対のベッド床フレーム６の長さを調節可能にし、子供が乳児のときには前フレーム２および後フレーム３を高くするとともにベッド床フレーム６の長さを短くし、子供が成長すれば前フレーム２および後フレーム３の高さを低くするとともにベッド床フレーム６の長さを長くしてベッド床フレーム６の前フレーム２と後フレーム３との中間を中間脚部材８で支持する【選択図】　　　　図１
2004041629.tif 000002
【特許請求の範囲】
【請求項１】
幼児の成長に伴って長さが調整可能なベビーベッドであって、
高さが調節可能な１対の脚を有する前フレームと、
高さが調節可能な１対の脚を有する後フレームと、
長さ調節が可能で前記前フレームから前記後フレームに延びる１対のベッド床フレームとを備えたことを特徴とする、ベビーベッド。
【請求項２】
さらに、前記ベッド床フレームの前記前フレームと前記後フレームとの中間を支持する中間脚部材を含むことを特徴とする、請求項１に記載のベビーベッド。
【請求項３】
前記前フレームと前記後フレームにおけるそれぞれの１対の脚は中間部材を含んで３分割されていて、前記中間部材を着脱することにより高さを調節することを特徴とする、請求項１に記載のベビーベッド。
【請求項４】
前記１対のベッド床フレームは、伸縮自在であって前記前フレームと前記後フレームとの間を結合する横フレームを含むことを特徴とする、請求項１に記載のベビーベッド。
【請求項５】
前記横フレームは、前記前フレームと前記後フレームにおけるそれぞれの１対の脚の最下部の部材に結合されていることを特徴とする、請求項３に記載のベビーベッド。
【請求項６】
前記中間脚部材は、一方の横フレームの先端部に取り付けられることを特徴とする、請求項５に記載のベビーベッド。
【発明の詳細な説明】
【０００１】
【発明の属する技術分野】
この発明はベビーベッドに関し、特に、幼児の成長に伴って長さが調整可能なベビーベッドに関する。
【０００２】
【従来の技術】
乳児は誕生してからほぼ１歳を経過するまで、ベビーベッド上に寝かされる。最初の子供が誕生してから、次の子供が誕生すれば、再度そのベビーベッドが使用されるが、幼児の成長に伴いいずれはそのベビーベッドは不要なものとなる。
【０００３】
【発明が解決しようとする課題】
しかし、ベビーベッドそのものは乳児を寝かせるだけであるため、比較的傷つくことが少なく十分再利用が可能であり、その後は子供が誕生する予定の知人に譲るか、譲る相手がいなければ廃棄処分するしかない。このように、ベビーベッドは損傷が少ないにもかかわらず廃棄処分されることが多いため、資源の無駄になる。そこで、乳幼児の間のみならず、子供の成長に伴って長さを調整できれば、子供が誕生してから大人に成長するまで、そのベッドで生活を共にすることができ、単に資源の節約のみならず、物を大切にしようとする気持ち持たせることが期待される。
【０００４】
それゆえに、この発明の主たる目的は、誕生から大人に成長するまで生活を共にできるようなベビーベッドを提供することである。
【０００５】
【課題を解決するための手段】
この発明は、幼児の成長に伴って長さが調整可能なベビーベッドであって、高さが調節可能な１対の脚を有する前フレームと、高さが調節可能な１対の脚を有する後フレームと、長さ調節が可能で前フレームから後フレームに延びる１対のベッド床フレームとを備えたことを特徴とする。
【０００６】
さらに、ベッド床フレームの前フレームと後フレームとの中間を支持する中間脚部材を含むことを特徴とする。
【０００７】
また、前フレームと後フレームにおけるそれぞれの１対の脚は中間部材を含んで３分割されていて、中間部材を着脱することにより高さを調節することを特徴とする。
【０００８】
さらに、１対のベッド床フレームは、伸縮自在であって前フレームと後フレームとの間を結合する横フレームを含むことを特徴とする。
【０００９】
また、横フレームは、前フレームと後フレームにおけるそれぞれの１対の脚の最下部の部材に結合されていることを特徴とする。
【００１０】
さらに、中間脚部材は、一方の横フレームの先端部に取り付けられることを特徴とする。
【００１１】
【発明の実施の形態】
図１はこの発明の一実施形態におけるベビーベッドの外観斜視図であり、図２は図１に示したベビーベッドを伸張した状態を示す外観斜視図である。
【００１２】
まず、図１および図２を参照してこの発明の一実施形態の概要について説明する。ベビーベッド１は前フレーム２と、後フレーム３と、１対の側面フレーム４，５と、ベッド床フレーム６と、マット７とを含む。前フレーム２および後フレーム３はそれぞれの上部が円弧状に形成されており、それぞれ１対の脚２１，２２，３１，３２を含む。これらの脚２１，２２，３１，３２はそれぞれの長さ方向が３分割可能にされており、中間部材を取り外すことにより、前フレーム２および後フレーム３の高さが調節される。
【００１３】
１対の側面フレーム４，５は、それぞれが長方形の枠部材４１，５１を含んでおり、乳児が寝返りをしたときに落下するのを防止する。また、側面フレーム４，５は幼児を寝かしつけたり、おむつの交換が容易なように前フレーム２および後フレーム３に対して上方向に引き抜き可能に、または上下方向に高さ調節可能にされている。このため、前フレーム２および後フレーム３と、側面フレーム４，５との当接面には図示しないが互いに嵌合する凸部と凹部とが形成されている。また、側面フレーム４，５の枠部材４１，５１には前後に３本ずつ縦棒４２，５２が上下方向に取り付けられており、中央部分には檻のイメージを避けるため、透明樹脂板４３，５３が嵌め込まれている。
【００１４】
ベッド床フレーム６は、前後方向に伸縮自在な横フレーム６１，６２を含む。これにより子供の成長に合わせてベッドの長さを長くできる。一方の横フレーム６１には、ベッドを延ばしたときに横フレーム６１，６２の結合部分の強度を補強するために中間脚部材８が設けられている。さらに、マット７の下面には図示しない板部材が設けられていて、横フレーム６１，６２上にマット７の板部材が載置される。
【００１５】
図３はこの発明の一実施形態におけるベビーベッド１の側面図であり、図４は前フレーム２の脚２１の要部断面図であり、図５はベッド床フレーム６を縮めた状態を示し、図６はベッド床フレーム６を延ばした状態を示す。
【００１６】
次に、図３ないし図６を参照して、この発明の一実施形態における特徴部分について具体的に説明する。前フレーム２の脚２１はたとえば木製または金属製の円柱あるいは角柱からなり、図４に示すように３つの部材２１１，２１２，２１３に分割可能に構成されている。各部材２１１，２１２，２１３の接合面には、軸方向に延びる穴が形成されており、各穴に円柱状の結合部材２１４，２１５を挿入することにより、３つの部材２１１，２１２，２１３で脚２１が構成される。中間の部材２１２を取り外せば脚２１の高さを低くできる。
【００１７】
なお、結合部材２１４は部材２１１の下端面に固定しておき、部材２１２の上端面に形成した穴に挿入し、結合部材２１５は部材２１２の下端面に固定しておき、部材２１３の上端面に形成した穴に嵌合させるようにしてもよい。
【００１８】
前フレームの他方の脚２２および後フレーム３の脚３１，３２も同様にして３分割可能に構成される。
【００１９】
ベッド床フレーム６の一方の横フレーム６１は、図５および図６に示すように、前フレーム２の脚２１，２２の間を結合する部材６１１と、脚２１から後フレーム３の脚３１側に延びる部材６１２と、脚２２から後フレーム３の脚３２側に延びる部材６１３とを含む。少なくとも部材６１２，６１３はたとえば中空の金属パイプで形成されている。
【００２０】
ベッド床フレーム６の他方の横フレーム６１も同様にして、後フレーム３の脚３１，３２の間を結合する部材６２１と、脚３１から前フレーム２の脚２１側に延びる部材６２２と、脚３２から前フレーム２の脚２２側に延びる部材６２３とを含む。そして、横フレーム６２の部材６２２，６２３は、横フレーム６１の部材６１２，６１３内に摺動可能な径を有する金属パイプあるいは金属柱で形成されている。部材６１１，６２１は脚２１，２２，３１，３２の最下部に部材にねじ止めあるいは溶接される。
【００２１】
横フレーム６１の部材６１２，６１３の開放端側には中間脚部材８が取り付けられている。中間脚部材８は床面に接する部材８１と部材８１の両端から立ち上がる部材８２，８３とから構成されており、部材８２，８３のそれぞれの先端部が横フレーム６１の部材６１２，６１３の開放端側にねじ止めあるいは溶接されて固定される。
【００２２】
このようにして構成された前フレーム２，後フレーム３およびベッド床フレーム６において、前フレーム２の脚２１，２２および後フレーム３の脚３１，３２をそれぞれ図４に示すように３つの部材で構成して高さを高くし、横フレーム６２の部材６２２，６２３を横フレーム６１の部材６１２，６１３内に収納させると、図５に示すようにベッドの長さを縮めて図１に示すベビーベッド１として使用が可能となる。
【００２３】
そして、子供の成長に合わせて前フレーム２および後フレーム３の脚２１，２２，３１，３２における中間の部材を取り外して前フレーム２および後フレーム３の高さを低くし、図６に示すようにベッド床フレーム６の横フレーム６２２，６２３を横フレーム６１２，６１３から引き出せば、図２に示すように幼児から大人に成長しても通常のベッドとして使用することができる。
【００２４】
上述のごとく、図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。
【発明の効果】
以上のように、この発明によれば、前フレームおよび後フレームにおけるそれぞれの１対の脚の高さを調節可能にし、前フレームから後フレームに延びる１対のベッド床フレームの長さを調節可能にしたので、子供が乳児のときには前フレームおよび後フレームを高くするとともに長さを短くし、子供が成長すれば前フレームおよび後フレームの高さを低くするとともに長さを長くしてベッド床フレームの前フレームと後フレームとの中間を中間脚部材で支持することにより、幼児から大人に成長するまで１つのベッドとして使用することが可能となる。これにより、資源の有効活用が可能になるとともに、を大切にしようとする気持ち持たせることが期待できる。
【図面の簡単な説明】
【図１】この発明の一実施形態におけるベビーベッドの外観斜視図である。
【図２】図１に示したベビーベッドを伸張した状態を示す外観斜視図である。
【図３】この発明の一実施形態におけるベビーベッド１の側面図である。
【図４】前フレームの脚の要部断面図である。
【図５】ベッド床フレームを縮めた状態を示す図である。
【図６】ベッド床フレームを延ばした状態を示す図である。
【符号の説明】
１　ベビーベッド、２　前フレーム、３　後フレーム、４，５　側面フレーム、６　ベッド床フレーム、７　マット、８　中間脚部材、２１，２２，３１，３２脚、４１，５１　枠部材、４２，５２　縦棒、４３，５３　透明樹脂、６１，６２　横フレーム、２１１〜２１３，６１１〜６１３，６２１〜６２３　部材、２１５　結合部材。
【図１】
2004041629.tif 000003
【図２】
2004041629.tif 000004
【図３】
2004041629.tif 000005
【図４】
2004041629.tif 000006
【図５】
2004041629.tif 000007
【図６】
2004041629.tif 000008